(57)【要約】【課題】  グループ通話において何ら通話が行われない無通話状態の時間を短縮することを可能とするサーバを提供する。【解決手段】  グループ通話を管理するグループ通話サーバ２００は、送信権を割り当てていない移動局１０から送信権割当て要求を受信する送受信部（移動局側）２１０と、送受信部（移動局側）２１０によって送信権割当て要求が受信された場合に、送信権を割り当てている移動局１０によって送信される通話データの監視を開始するグループ通話処理部２３０及び監視タイマ（通話データ）２４０とを備え、グループ通話処理部２３０は、通話データが所定期間に亘って検出されない場合に、移動局１０に割り当てている送信権を開放するとともに、送信権割当て要求を送信した他の移動局１０に送信権を割り当てる。【選択図】  図２
2007324771.tif 000002
【特許請求の範囲】
【請求項１】
グループ通話を管理するサーバであって、
前記グループ通話に対して通話データを送信する権限である送信権を割り当てていない移動局から前記送信権の取得要求を受信する受信部と、
前記受信部によって前記送信権の取得要求が受信された場合に、前記送信権を割り当てている移動局である送信権保有移動局によって送信される前記通話データの監視を開始する監視部と、
前記監視部によって監視される前記通話データが所定期間に亘って検出されない場合に、前記送信権保有移動局に割り当てている前記送信権を開放するとともに、前記送信権の取得要求を送信した移動局に前記送信権を割り当てる送信権管理部とを備えることを特徴とするサーバ。
【請求項２】
グループ通話を管理するサーバであって、
前記グループ通話に対して通話データを送信する権限である送信権を割り当てていない移動局から前記送信権の取得要求を受信する受信部と、
前記受信部によって前記送信権の取得要求が受信された場合に、前記送信権を割り当てている移動局である送信権保有移動局がネットワークに接続されているか否かを確認する確認信号を前記送信権保有移動局に送信する送信部と、
前記確認信号に応じて前記送信権保有移動局が返信する返信信号を監視する監視部と、
前記送信部によって前記確認信号が送信されてから所定の受付期間内に、前記監視部によって監視される前記返信信号が検出されない場合に、前記送信権保有移動局に割り当てている前記送信権を開放するとともに、前記送信権の取得要求を送信した移動局に前記送信権を割り当てる送信権管理部とを備えることを特徴とするサーバ。
【発明の詳細な説明】
【技術分野】
【０００１】
本発明は、グループ通話を管理するサーバに関する。
【背景技術】
【０００２】
従来、複数の移動局を含むグループ内で音声信号などの通話データが送受信されるグループ通話（例えば、ＰＴＴ；Ｐｕｓｈ−Ｔｏ−Ｔａｌｋ）が一般的に広く知られている。
【０００３】
このようなグループ通話では、通話データを送信する権限（以下、送信権）がグループに含まれる一の移動局に割り当てられ、グループに含まれる他の移動局は、送信権を有する一の移動局によって送信される通話データを受信する。
【０００４】
例えば、グループ通話が行われる通信システムは、ＳＩＰ（Ｓｅｓｓｉｏｎ  Ｉｎｉｔｉａｔｉｏｎ  Ｐｒｏｔｏｃｏｌ）が用いられるパケット交換ＮＷと、パケット交換ＮＷに接続されたグループ通話サーバへログインするために用いられる回線交換ＮＷとを含む。
【０００５】
また、このような通信システムによるグループ通話においては、各移動局は、グループ通話サーバへログインすることを回線交換ＮＷを通じて促され、パケット交換ＮＷを通じてグループ通話サーバにログインする。これによって、グループ通話は、グループ通話サーバによって管理され、パケット交換ＮＷ上で行われる（例えば、非特許文献１）。
【非特許文献１】“ＳＩＰ：Ｓｅｓｓｉｏｎ  Ｉｎｉｔｉａｔｉｏｎ  Ｐｒｏｔｏｃｏｌ”、ＲＦＣ３２６１
【発明の開示】
【発明が解決しようとする課題】
【０００６】
しかしながら、移動局は、電波状態が良いエリア内に常に位置しているとは限られず、パケット交換ＮＷの圏外に移動する場合がある。従って、上述した送信権が割り当てられた移動局が、送信権を保有したままパケット交換ＮＷの圏外に移動してしまうと、グループ通話において何ら通話が行われない無通話状態が生じてしまう。
【０００７】
このようにして生じる無通話状態の時間が長くなると、送信権を有していない移動局のユーザの利便性が低下してしまう。
【０００８】
そこで、本発明は、上述した課題を解決するためになされたものであり、グループ通話において何ら通話が行われない無通話状態の時間を短縮することを可能とするサーバを提供することを目的とする。
【課題を解決するための手段】
【０００９】
本発明の一の特徴は、グループ通話を管理するサーバ（グループ通話サーバ２００）が、前記グループ通話に対して通話データを送信する権限である送信権を割り当てていない移動局から前記送信権の取得要求を受信する受信部（送受信部（移動局側）２１０）と、前記受信部によって前記送信権の取得要求が受信された場合に、前記送信権が割り当てている移動局である送信権保有移動局によって送信される前記通話データの監視を開始する監視部（グループ通話処理部２３０及び監視タイマ（通話データ）２４０）と、前記監視部によって監視される前記通話データが所定期間に亘って検出されない場合に、前記送信権保有移動局に割り当てている前記送信権を開放するとともに、前記送信権の取得要求を送信した移動局に前記送信権を割り当てる送信権管理部（グループ通話処理部２３０）とを備えることを要旨とする。
【００１０】
かかる特徴によれば、送信権管理部が、通話データが所定期間に亘って検出されない場合に、送信権保有移動局に割り当てている送信権を開放するとともに、送信権の取得要求を送信した移動局に送信権を割り当てることによって、送信権保有移動局が送信権を保有したままネットワークの圏外などに移動することに起因して生じる無通話時間の短縮を図ることができる。
【００１１】
本発明の一の特徴は、グループ通話を管理するサーバ（ＳＭＳサーバ１００及びグループ通話サーバ２００）が、前記グループ通話に対して通話データを送信する権限である送信権を割り当てていない移動局から前記送信権の取得要求を受信する受信部と、前記受信部によって前記送信権の取得要求が受信された場合に、前記送信権を割り当てている移動局である送信権保有移動局がネットワークに接続されているか否かを確認する確認信号を前記送信権保有移動局に送信する送信部（送受信部（移動局側）１４０、送受信部（移動局側）２１０）と、前記確認信号に応じて前記送信権保有移動局が返信する返信信号を監視する監視部（制御部１２０、監視タイマ（接続確認）１３０、グループ通話処理部２３０、監視タイマ（通話データ）２４０）と、前記送信部によって前記確認信号が送信されてから所定の受付期間内に、前記監視部によって監視される前記返信信号が検出されない場合に、前記送信権保有移動局に割り当てている前記送信権を開放するとともに、前記送信権の取得要求を送信した移動局に前記送信権を割り当てる送信権管理部（グループ通話処理部２３０）とを備えることを要旨とする。
【００１２】
かかる特徴によれば、送信権管理部が、確認信号に応じて送信権保有移動局が返信する返信信号が所定の受付期間内に検出されない場合に、送信権保有移動局に割り当てている送信権を開放するとともに、送信権の取得要求を送信した移動局に送信権を割り当てることによって、送信権保有移動局が送信権を保有したままネットワークの圏外などに移動することに起因して生じる無通話時間の短縮を図ることができる。
【発明の効果】
【００１３】
本発明によれば、グループ通話において何ら通話が行われない無通話状態の時間を短縮することを可能とするサーバを提供することができる。
【発明を実施するための最良の形態】
【００１４】
［第１実施形態］
（通信システムの構成）
以下において、本発明の第１実施形態に係る通信システムについて、図面を参照しながら説明する。図１は、本発明の第１実施形態に係る通信システムの構成を示す図である。
【００１５】
図１に示すように、通信システムは、基地局３０を含む回線交換ＮＷ３００と、基地局４０を含むパケット交換ＮＷ４００と、回線交換ＮＷ３００に接続されたＳＭＳサーバ１００と、パケット交換ＮＷ４００に接続されたグループ通話サーバ２００とを有する。なお、ＳＭＳサーバ１００及びグループ通話サーバ２００は接続されている。
【００１６】
なお、第１実施形態では、基地局３０及び基地局４０が別々の基地局であるものとして説明するが、これに限定されるものではない。具体的には、回線交換ＮＷ３００及びパケット交換ＮＷ４００の両方に含まれる一の基地局が基地局３０及び基地局４０が有する機能を併せ持っていてもよい。
【００１７】
複数の移動局１０（移動局１０ａ〜移動局１０ｄ）は、通信システムに接続可能な携帯電話端末である。具体的には、各移動局１０は、回線交換ＮＷ３００に含まれる基地局３０及びパケット交換ＮＷ４００に含まれる基地局４０と接続可能である。
【００１８】
回線交換ＮＷ３００は、回線交換によって通信が行われるネットワーク（例えば、ｃｄｍａ２０００で用いられる１ｘ網）であり、移動局１０が通信を行う際に移動局１０のアドレス登録が必要とされないネットワークである。一方、パケット交換ＮＷ４００は、パケット交換によって通信が行われるネットワーク（例えば、ｃｄｍａ２０００で用いられるＥＶ−ＤＯ（Ｅｖｏｌｕｔｉｏｎ  Ｄａｔａ  Ｏｐｔｉｍｉｚｅｄ）網）であり、移動局１０が通信を行う際に移動局１０のアドレス登録が必要とされるネットワークである。
【００１９】
また、パケット交換ＮＷ４００では、一の移動局１０（発信側移動局）と、一の移動局１０によって指定された他の移動局１０（指定移動局）のうち、発信側移動局からの呼び出しに応答した移動局１０とによってグループ通話が開始される。
【００２０】
なお、以下において、発信側移動局と指定移動局とを含むグループを初期グループと称し、発信側移動局が移動局１０ａであり、指定移動局が移動局１０ｂ〜移動局１０ｄであるものとして説明する。
【００２１】
また、第１実施形態に係るグループ通話では、グループ通話に参加している移動局１０は、グループ通話に参加していない移動局１０をグループ通話に参加させるために、グループ通話に参加していない移動局１０を呼び出すことが可能である。
【００２２】
ここで、グループ通話とは、音声信号のみを通話データとして送受信するＰＴＴ（Ｐｕｓｈ−Ｔｏ−Ｔａｌｋ）や音声信号及び映像信号を通話データとして送受信するＩＰ−ＴＶを含む。また、グループ通話では、グループ通話に参加する移動局１０のいずれかに、通話データを送信する権利である送信権（発言権）が割り当てられる。
【００２３】
ＳＭＳサーバ１００は、上述したように、回線交換ＮＷ３００に接続されており、グループ通話サーバ２００へのアドレス登録を要求するＳＭＳ（登録要求）を指定移動局に送信する。
【００２４】
グループ通話サーバ２００は、グループ通話を管理するサーバである。具体的には、グループ通話サーバ２００は、グループ通話の開始を要求するＩＮＶＩＴＥ（新規）を発信側移動局から受信すると、ＳＭＳ（登録要求）の送信を要求するＳＭＳ（送信要求）をＳＭＳサーバ１００に送信する。続いて、グループ通話サーバ２００は、グループ通話サーバ２００にアドレスが登録された指定移動局にＩＮＶＩＴＥ（新規）を送信する。また、グループ通話サーバ２００は、ＩＮＶＩＴＥ（新規）に応答した指定移動局と発信側移動局との間で通話データが送受信されるグループ通話を開始する。なお、グループ通話サーバ２００の詳細については後述する（図２を参照）。
【００２５】
（グループ通話サーバの構成）
以下において、本発明の第１実施形態に係るグループ通話サーバの構成について、図面を参照しながら説明する。図２は、本発明の第１実施形態に係るグループ通話サーバ２００を示すブロック図である。
【００２６】
図２に示すように、グループ通話サーバ２００は、送受信部（移動局側）２１０と、グループ通話管理ＤＢ２２０と、グループ通話処理部２３０と、監視タイマ（通話データ）２４０と、送受信部（サーバ側）２５０とを有する。
【００２７】
送受信部（移動局側）２１０は、ＳＩＰで規定された各種メッセージ（例えば、ＩＮＶＩＴＥ（新規）、ＩＮＦＯ（参加者通知）、１００Ｔｒｙｉｎｇ、１８０Ｒｉｎｇｉｎｇ、２００ＯＫ、ＡＣＫ、ＢＹＥ）を送受信する。なお、送受信部（移動局側）２１０は、パケット交換ＮＷ４００を通じて、これらの各種メッセージを移動局１０と送受信する。また、送受信部（移動局側）２１０は、送信権が割り当てられた移動局１０から通話データを受信して、送信権が割り当てられていない他の移動局１０に通話データを送信する。
【００２８】
送受信部（移動局側）２１０は、送信権の割当てを要求する送信権割当て要求を移動局１０から受信する。また、送受信部（移動局側）２１０は、送信権が移動局１０に割り当てられた場合には、送信権が割り当てられたことを示す送信権割当て通知をその移動局１０に送信する。
【００２９】
グループ通話管理ＤＢ２２０は、グループ通話を管理するための情報を記憶するデータベースである。具体的には、グループ通話管理ＤＢ２２０は、図３に示すように、移動局１０を特定する情報（移動局識別子欄）と、移動局１０が初期グループに含まれているか否かを示す情報（初期グループ欄）と、移動局１０がグループ通話に参加しているか否かを示す情報（参加メンバー欄）と、送信権が割り当てられている移動局１０を特定する情報（送信権欄）とを記憶している。
【００３０】
ここで、移動局識別子欄の情報は、移動局１０を特定可能な情報であればよく、移動局１０の識別子、移動局１０の電話番号、移動局１０のＳＩＰアドレス、移動局１０のユーザ名などである。
【００３１】
初期グループ欄には、移動局１０が初期グループに含まれる場合に「○」が記憶され、移動局１０が初期グループに含まれない場合に「×」が記憶される。なお、上述したように、初期グループに含まれない移動局１０であっても、グループ通話に参加している移動局１０から呼び出されれば、グループ通話に途中参加することが可能である。
【００３２】
参加メンバー欄には、現在移動局１０がグループ通話に参加している場合に「○」が記憶され、移動局１０がグループ通話に参加していない場合に「×」が記憶される。
【００３３】
送信権欄には、移動局１０に送信権が割り当てられている場合に「○」が記憶され、移動局１０に送信権が割り当てられていない場合に「×」が記憶される。
【００３４】
グループ通話処理部２３０は、グループ通話を管理する。例えば、グループ通話処理部２３０は、発信側移動局からＩＮＶＩＴＥ（新規）を受信した場合には、ＳＭＳ（登録要求）の送信要求の送信を送受信部（サーバ側）２５０に指示する。
【００３５】
グループ通話処理部２３０は、送信権の割当てを要求する送信権割当て要求を移動局１０から受信した場合に、送信権が他の移動局１０に既に割り当てられているか否かに応じて、送信権割当て要求を送信した移動局１０に送信権を割り当てる。すなわち、グループ通話処理部２３０は、送信権が他の移動局１０に割り当てられていない場合に、送信権割当て要求を送信した移動局１０に送信権を割り当てる。
【００３６】
続いて、グループ通話処理部２３０は、送信権が割り当てられたことを示す送信権割当て通知の送信を送受信部（移動局側）２１０に指示する。なお、送受信部（移動局側）２１０は、送信権が割り当てられた移動局１０に対して送信権割当て通知を送信する。
【００３７】
また、グループ通話処理部２３０は、送信権が既に他の移動局１０に割り当てられている際に、送信権が割り当てられていない移動局１０から送信権割当て要求を受信した場合には、送信権が割り当てられた移動局１０から受信する通話データの監視を開始する。具体的には、グループ通話処理部２３０は、移動局１０から送信権割当て要求を受信すると、所定の監視時間を監視タイマ（通話データ）２４０にセットする。また、グループ通話処理部２３０は、通話データを受信する毎に、所定の監視時間を監視タイマ（通話データ）２４０に再セットする。
【００３８】
続いて、グループ通話処理部２３０は、監視タイマ（通話データ）２４０がタイムアウトした場合には、移動局１０に割り当てられた送信権を開放するとともに、送信権割当て要求を送信した他の移動局１０に送信権を割り当てる。具体的には、グループ通話処理部２３０は、送信権が割り当てられていた移動局１０についてグループ通話管理ＤＢ２２０の送信権欄を「○」から「×」に更新するとともに、送信権割当て要求を送信した他の移動局１０についてグループ通話管理ＤＢ２２０の送信権欄を「×」から「○」に更新する。
【００３９】
監視タイマ（通話データ）２４０は、送信権が割り当てられた移動局１０から通話データを受信していない時間、すなわち、無通話時間を計時するタイマである。
【００４０】
送受信部（サーバ側）２５０は、グループ通話処理部２３０の指示に応じて、ＳＭＳ（登録要求）の送信要求をＳＭＳサーバ１００に送信する。
【００４１】
（通信システムの動作）
以下において、本発明の第１実施形態に係る通信システムの動作について、図面を参照しながら説明する。図４及び図５は、本発明の第１実施形態に係る通信システムの動作を示すシーケンス図である。なお、図４及び図５では、上述したように、発信側移動局が移動局１０ａであり、指定移動局が移動局１０ｂ〜移動局１０ｄであるものとして説明する。また、図４及び図５では、ＳＩＰで規定された各種処理の一部（例えば、ＩＮＦＯ（参加者通知）、１００Ｔｒｙｉｎｇ、１８０Ｒｉｎｇｉｎｇ、２００ＯＫ、ＡＣＫ、ＢＹＥなどの送受信）については省略されている点に留意すべきである。
【００４２】
図４に示すように、ステップ１０において、移動局１０ａは、グループ通話サーバ２００にアドレス登録（ログイン）を行う。
【００４３】
ステップ１１において、移動局１０ａは、グループ通話を開始するために、ＩＮＶＩＴＥ（新規）をグループ通話サーバ２００に送信する。なお、ＩＮＶＩＴＥ（新規）は、指定移動局（移動局１０ｂ〜移動局１０ｄ）を識別する識別子を含む。
【００４４】
ステップ１２において、グループ通話サーバ２００は、指定移動局に対するＳＭＳ（登録要求）の送信要求をＳＭＳサーバ１００に送信する。
【００４５】
ステップ１３ｂ〜ステップ１３ｄにおいて、ＳＭＳサーバ１００は、各指定移動局にＳＭＳ（登録要求）を送信する。
【００４６】
ステップ１４ｂ〜ステップ１４ｄにおいて、各指定移動局は、グループ通話サーバ２００にアドレス登録（ログイン）を行う。
【００４７】
ステップ１５ｂ〜ステップ１５ｄにおいて、グループ通話サーバ２００は、各指定移動局を呼び出すためのＩＮＶＩＴＥ（新規）を各指定移動局に送信する。
【００４８】
ステップ１６ｂ及びステップ１６ｄにおいて、移動局１０ｂ及び移動局１０ｄは、ＩＮＶＩＴＥ（新規）に応答する。一方、ステップ１６ｃにおいて、移動局１０ｃは、ＩＮＶＩＴＥ（新規）に応答しない。
【００４９】
ステップ１７において、移動局１０ｃは、グループ通話サーバ２００に対するアドレス登録を解除する。なお、移動局１０ｃは、グループ通話に参加している移動局１０から呼び出されれば、グループ通話に途中参加することが可能である。
【００５０】
ステップ１８において、移動局１０ａ、移動局１０ｂ及び移動局１０ｄを参加メンバーとするグループ通話が開始する。
【００５１】
ステップ１９において、移動局１０ｄは、グループ通話に対して通話データを送信する権限である送信権の割り当てを要求する送信権割り当て要求をグループ通話サーバ２００に送信する。
【００５２】
ステップ２０において、グループ通話サーバ２００は、いずれの移動局１０にも送信権が割り当てられていないため、移動局１０ｄに送信権を割り当てる。
【００５３】
ステップ２１において、グループ通話サーバ２００は、送信権を割り当てたことを示す送信権割り当て通知を移動局１０ｄに送信する。
【００５４】
続いて、図５に示すように、ステップ３０において、移動局１０ａ、移動局１０ｂ及び移動局１０ｄを参加メンバーとするグループ通話が継続している。なお、送信権は、移動局１０ｄに割り当てられている。
【００５５】
ステップ３１において、移動局１０ｄは、パケット交換ＮＷ４００の圏外に移動する。従って、移動局１０ｄは、グループ通話に対して通話データを送信することができなくなる。
【００５６】
ステップ３２において、送信権が割り当てられていない移動局１０ａは、送信権の割当てを要求する送信権割当て要求をグループ通話サーバ２００に送信する。
【００５７】
ステップ３３において、グループ通話サーバ２００は、送信権が割り当てられた移動局１０ｄが送信する通話データの監視を開始する。具体的には、グループ通話サーバ２００は、監視タイマ（通話データ）２４０に所定の監視時間をセットする。グループ通話サーバ２００は、移動局１０ｄから通話データを受信する毎に監視タイマ（通話データ）２４０に所定の監視時間を再セットする。
【００５８】
ステップ３４において、グループ通話サーバ２００は、移動局１０ｄがパケット交換ＮＷ４００の圏外に移動しているため、監視タイマ（通話データ）２４０のタイムアウトを検出する。
【００５９】
ステップ３５において、グループ通話サーバ２００は、移動局１０ｄに割り当てられた送信権を開放するとともに、送信権を移動局１０ａに割り当てる。
【００６０】
ステップ３６において、グループ通話サーバ２００は、送信権が割り当てられたことを示す送信権割当て通知を移動局１０ａに送信する。
【００６１】
（作用及び効果）
本発明の第１実施形態に係るグループ通話サーバ２００によれば、グループ通話処理部２３０は、監視タイマ（通話データ）２４０がタイムアウトした場合に、移動局１０に割り当てられた送信権を開放するとともに、送信権割当て要求を送信した他の移動局１０に送信権を割り当てることによって、無通話状態の短縮を図ることができる。
【００６２】
［第２実施形態］
以下において、本発明の第２実施形態について説明する。なお、以下においては、上述した第１実施形態と第２実施形態との相違点について主として説明する。
【００６３】
具体的には、上述した第１実施形態では、監視タイマ（通話データ）２４０がタイムアウトした場合に、移動局１０に割り当てられた送信権を開放するとともに、送信権割り当て要求を送信した他の移動局１０に送信権を割り当てる。
【００６４】
これに対して、第２実施形態では、送信権が割り当てられた移動局１０に対して接続確認を送信して、その移動局１０が接続確認に応じて返信する接続応答を所定の受付期間内に受信できない場合に、移動局１０に割り当てられた送信権を開放するとともに、送信権割り当て要求を送信した他の移動局１０に送信権を割り当てる。
【００６５】
なお、第２実施形態では、グループ通話サーバ２００は、送信権割当て要求を受信すると、送信権が割り当てられた移動局１０が回線交換ＮＷ３００に接続されているか否かを確認するためのＳＭＳ（接続確認）の送信要求をＳＭＳサーバ１００に送信する。
【００６６】
一方、ＳＭＳサーバ１００は、ＳＭＳ（接続確認）の送信要求をグループ通話サーバ２００から受信すると、移動局１０が回線交換ＮＷ３００に接続されているか否かを確認するためのＳＭＳ（接続確認）を、送信権が割り当てられた移動局１０に送信する。
【００６７】
（ＳＭＳサーバの構成）
以下において、本発明の第２実施形態に係るＳＭＳサーバの構成について、図面を参照しながら説明する。図６は、本発明の第２実施形態に係るＳＭＳサーバ１００の構成を示すブロック図である。
【００６８】
図６に示すように、ＳＭＳサーバ１００は、送受信部（サーバ側）１１０と、制御部１２０と、監視タイマ（接続確認）１３０と、送受信部（移動局側）１４０とを有する。
【００６９】
送受信部（サーバ側）１１０は、上述したＳＭＳ（登録要求）の送信要求に加えて、ＳＭＳ（接続確認）の送信要求をグループ通話サーバ２００から受信する。また、送受信部（サーバ側）１１０は、制御部１２０の指示に応じて、送信権が割り当てられた移動局１０が回線交換ＮＷ３００に接続されていないことを示すメッセージ（後述するＳＭＳ（タイムアウト通知）をグループ通話サーバ２００に送信する。
【００７０】
なお、グループ通話サーバ２００は、ＳＭＳ（タイムアウト通知）をＳＭＳサーバ１００から受信すると、移動局１０に割り当てられた送信権を開放するとともに、送信権割当て要求を送信した移動局１０に送信権を割り当てる。
【００７１】
制御部１２０は、ＳＭＳサーバ１００の全体の動作を制御する。具体的には、制御部１２０は、ＳＭＳ（登録要求）の送信要求を受信した場合に、ＳＭＳ（登録要求）の送信を送受信部（移動局側）１４０に指示する。
【００７２】
また、制御部１２０は、ＳＭＳ（接続確認）の送信要求を受信した場合に、ＳＭＳ（接続確認）の送信を送受信部（移動局側）１４０に指示する。ここで、制御部１２０は、ＳＭＳ（接続確認）の送信を指示する毎に、所定の受付時間を監視タイマ（接続確認）１３０にセットする。また、制御部１２０は、ＳＭＳ（接続確認）に応じて移動局１０が返信する接続応答を受信した場合には、監視タイマ（接続確認）１３０によるカウントを停止する。
【００７３】
さらに、制御部１２０は、監視タイマ（接続確認）１３０がタイムアウトした場合には、送信権が割り当てられた移動局１０が回線交換ＮＷ３００に接続されていないことを示すＳＭＳ（タイムアウト通知）の送信を送受信部（サーバ側）１１０に指示する。
【００７４】
監視タイマ（接続確認）１３０は、送信権が割り当てられた移動局１０が回線交換ＮＷ３００に接続されているか否かを判定する時間を計時するタイマである。
【００７５】
送受信部（移動局側）１４０は、制御部１２０の指示に応じて、ＳＭＳ（登録要求）を指定移動局に送信する。また、送受信部（移動局側）１４０は、制御部１２０の指示に応じて、送信権が割り当てられた移動局１０にＳＭＳ（接続確認）を送信する。さらに、送受信部（移動局側）１４０は、送信権が割り当てられた移動局１０が回線交換ＮＷ３００に接続されている場合には、その移動局１０がＳＭＳ（接続確認）に応じて返信する接続応答を受信する。
【００７６】
（通信システムの動作）
以下において、本発明の第２実施形態に係る通信システムの動作について、図面を参照しながら説明する。図７は、本発明の第２実施形態に係る通信システムの動作を示すシーケンス図である。なお、図７に示す処理は、上述した図４に示したステップ２１に続く処理である。また、図７に示すステップ４０〜ステップ４２は、図５に示したステップ３０〜ステップ３２と同様であるため、その説明については省略する。
【００７７】
図７に示すように、ステップ４３において、グループ通話サーバ２００は、ＳＭＳ（接続確認）の送信要求をＳＭＳサーバ１００に送信する。
【００７８】
ステップ４４において、ＳＭＳサーバ１００は、送信権が割り当てられた移動局１０ｄに対して、移動局１０ｄが回線交換ＮＷ３００に接続されているか否かを確認するＳＭＳ（接続確認）を送信する。また、ＳＭＳサーバ１００は、所定の受付時間を監視タイマ（接続確認）１３０にセットする。
【００７９】
ステップ４５において、ＳＭＳサーバ１００は、移動局１０ｄが回線交換ＮＷ３００の圏外に移動に移動しているため、監視タイマ（接続確認）１３０のタイムアウトを検出する。
【００８０】
ステップ４６において、ＳＭＳサーバ１００は、移動局１０ｄが回線交換ＮＷ３００に接続されていないことを示すＳＭＳ（タイムアウト通知）をグループ通話サーバ２００に送信する。
【００８１】
ステップ４７において、グループ通話サーバ２００は、移動局１０ｄに割り当てられた送信権を開放するとともに、送信権割当て要求を送信した移動局１０ａに送信権を割り当てる。
【００８２】
ステップ４８において、グループ通話サーバ２００は、送信権を割り当てたことを示す送信権割り当て通知を移動局１０ａに送信する。
【００８３】
（作用及び効果）
本発明の第２実施形態に係るサーバ（ＳＭＳサーバ１００及びグループ通話サーバ２００）によれば、グループ通話処理部２３０は、監視タイマ（接続確認）１３０がタイムアウトした場合に、移動局１０に割り当てられた送信権を開放するとともに、送信権割当て要求を送信した他の移動局１０に送信権を割り当てることによって、無通話状態の短縮を図ることができる。
【００８４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８５】
例えば、上述した第１実施形態及び第２実施形態では、ＳＭＳサーバ１００とグループ通話サーバ２００とが別々なサーバであるものとして説明したが、これに限定されるものではない。具体的には、回線交換ＮＷ３００及びパケット交換ＮＷ４００の両方に接続された一のネットワークサーバが、ＳＭＳサーバ１００の機能及びグループ通話サーバ２００の機能を併せ持っていてもよい。
【００８６】
また、上述した第２実施形態では、送信権が割り当てられた移動局１０が回線交換ＮＷ３００に接続されているか否かを確認するＳＭＳ（接続確認）をＳＭＳサーバ１００が送信するが、これに限定されるものではない。具体的には、送信権が割り当てられた移動局１０がパケット交換ＮＷ４００に接続されているか否かを確認するＩＮＦＯ（接続確認）をグループ通話サーバ２００が送信してもよい。
【００８７】
この場合には、グループ通話サーバ２００は、ＳＭＳサーバ１００の監視タイマ（接続確認）１３０に相当する監視タイマ（接続確認）を有している。また、グループ通話サーバ２００は、監視タイマ（接続確認）がタイムアウトした場合には、移動局１０に割り当てられた送信権を開放するとともに、送信権割当て要求を送信した他の移動局１０に送信権を割り当てる。
【図面の簡単な説明】
【００８８】
【図１】本発明の第１実施形態に係る通信システムを示す図である。
【図２】本発明の第１実施形態に係るグループ通話サーバ２００を示すブロック図である。
【図３】本発明の第１実施形態に係るグループ通話管理ＤＢ２２０に記憶された情報を示すブロック図である。
【図４】本発明の第１実施形態に係る通信システムの動作を示すシーケンス図である（その１）。
【図５】本発明の第１実施形態に係る通信システムの動作を示すシーケンス図である（その２）。
【図６】本発明の第２実施形態に係るＳＭＳサーバ１００を示すブロック図である。
【図７】本発明の第２実施形態に係る通信システムの動作を示すシーケンス図である。
【符号の説明】
【００８９】
１０・・・移動局、３０・・・基地局、４０・・・基地局、１００・・・ＳＭＳサーバ、１１０・・・送受信部（サーバ側）、１２０・・・制御部、１３０・・・監視タイマ（接続確認）、１４０・・・送受信部（移動局側）、２００・・・グループ通話サーバ、２１０・・・送受信部（移動局側）、２２０・・・グループ通話管理ＤＢ、２３０・・・グループ通話処理部、２４０・・・監視タイマ（通話データ）、２５０・・・送受信部（サーバ側）、３００・・・回線交換ＮＷ、４００・・・パケット交換ＮＷ
【図１】
2007324771.tif 000003
【図２】
2007324771.tif 000004
【図３】
2007324771.tif 000005
【図４】
2007324771.tif 000006
【図５】
2007324771.tif 000007
【図６】
2007324771.tif 000008
【図７】
2007324771.tif 000009